(57)【要約】【課題】  様々な環境下でも結露の発生を防止する。【解決手段】  開口部を有する筐体２と、開口部に設けられ、開口部を介して目視可能に配置されたＬＣＤ面４と、開口部に設けられた透明のフィルタ３と、フィルタ３とＬＣＤ面４との隙間を埋めるように設けられた透明の充填剤５とを備えている。【選択図】図１
2005316042.tif 000002
【特許請求の範囲】
【請求項１】
開口部を有する筐体と、
前記開口部に設けられ、前記開口部を介して目視可能に配置された表示器と、
前記開口部に設けられた透明の保護板と、
前記保護板と前記表示器との隙間を埋めるように設けられた透明の充填部材と
を備えていることを特徴とする表示装置。
【請求項２】
前記充填部材の屈折率が、
前記保護板の屈折率と略等しいことを特徴とする請求項１に記載の表示装置。
【請求項３】
前記充填部材が、
弾性を有していることを特徴とする請求項１又は２に記載の表示装置。
【請求項４】
前記充填部材が、
粘着性を有していることを特徴とする請求項１又は２に記載の表示装置。
【発明の詳細な説明】
【技術分野】
【０００１】
本発明は、様々な環境下で使用される表示装置に関する。
【背景技術】
【０００２】
これまで、例えば船舶用レーダ等の表示装置は、主にＣＲＴ（Cathode-Ray Tube）が使用されていたが、近年、小型化、軽量化や低消費電力化を実現するために、ＬＣＤ（Liquid Crystal Display）が使用されてきている。そして、このＬＣＤを船舶等に使用する場合には、水や埃等の外的環境からＬＣＤの表示面を保護する必要があった。表示面を保護するため、樹脂やガラス製のフィルタが表示面と対向するように設けられており、また、表示面と接触して干渉稿等が発生しないように、表示面との間には空気層が設けられている。ところが、表示装置の電源投入後に、表示装置に直射日光が当たると、表示面の温度が上昇する。しかし、フィルタの内側の空気層内の温度は上昇せず、この温度差によってフィルタ内面に結露が発生してしまう場合があった。そこで、これまでに、例えば特許文献１のように、フィルタの内側での結露の発生を防止する構造の表示装置が提案されている。
【０００３】
特許文献１に記載の表示装置は、表示面とフィルタとの間に薄く熱容量の小さい透明板を表示面に接近させて配置し、フィルタとの間に密閉空間を形成する構造となっている。この構造は、透明板が、薄く熱容量が小さいため、表示面側からの熱伝導性が良くなり、表示面の温度上昇と共に密閉空間も温度が上昇させ、温度差をなくすことで、結露の発生を防止するようになっている。
【０００４】
【特許文献１】特開平１１−２１９１２１号公報（図３）
【発明の開示】
【発明が解決しようとする課題】
【０００５】
しかしながら、特許文献１に記載の表示装置に直射日光や水等がかかることにより、空気層に急激な温度勾配が生じた場合には、フィルタ内側の結露の発生を十分に防止することができなくなるおそれがある。
【０００６】
そこで、本発明の目的は、様々な環境下でも結露の発生を防止することができる表示装置を提案することである。
【課題を解決するための手段及び効果】
【０００７】
本発明の表示装置は、開口部を有する筐体と、開口部に設けられ、開口部を介して目視可能に配置された表示器と、開口部に設けられた透明の保護板と、保護板と表示器との隙間を埋めるように設けられた透明の充填部材とを備えている。この構成によると、表示器と保護板との間に充填部材を設けることで、隙間部分に空間（空気層）が存在しなくなるため、フィルタ内面に結露が発生しなくなる。また、隙間部分に空気層が存在する場合、表示装置を直射日光下に放置した場合に、空気層の温室効果により表示器がブラックアウト（表示画面が黒くなる状態）するおそれがあるが、隙間部分に充填部材を設けることで、これを低減することができる。
【０００８】
さらに、隙間部分に設けた充填部材が透明であるため、充填部材の屈折率と、透明な保護板の屈折率とが近接するようになる。これにより、充填部材と保護板との境界面において、光の反射を低減することができ、表示器の視認性を向上することができる。また、反射を防止できることにより、反射防止処理を施す個所が少なくなるため、手間を省くことができ、かつ、コストダウンを実現することができる。
【０００９】
また、本発明において、充填部材の屈折率が、保護板の屈折率と略等しいことが好ましい。これによると、広角度で表示器を視認することができる。光が屈折率の高い材質から低い材質へ伝播する時、入射角によって透過する場合と全反射する場合があるが、充填部材の屈折率を保護板の屈折率と略同じとすることで、この境の角度（臨界角）を越えても、全反射することがなく、視認可能角度を広範囲にすることができる。
【００１０】
本発明において、充填部材が、弾性を有していてもよい。これによると、保護板の振動を表示器に伝わらないようすることができ、表示器を保護することができる。また、本発明において、充填部材が、粘着性を有していてもよい。これによると、保護板が破損した場合であっても保護板の破片などが飛散せず、安全性を向上させることができる。
【発明を実施するための最良の形態】
【００１１】
以下、本発明の好適な実施の形態について図面を参照しつつ説明する。
【００１２】
本実施の形態に係る表示装置１は、特に屋外、例えば船舶の操舵室等に好適に用いられる。尚、本実施の形態では、表示装置１を船舶の操舵室に配置する場合について説明するが、これに限定されることはなく、様々な環境下で好適に使用することができる。図１に示すように、表示装置１は、筐体２と、フィルタ３（保護板）と、ＬＣＤ面４（表示器）と、充填剤５（充填部材）とを有している。
【００１３】
筐体２は、開口部を有する略直方体の形状を有しており、内部には図示しない電子機器が設けられている。かかる電子機器は、ユーザの操作に基づいて、後述のＬＣＤ面４に様々な情報（レーダによる探知結果など）を表示させるための制御機器である。また、筐体２の内外部には防水加工が施され、内部に水等が浸入しないような構造となっている。さらに、図示しないが、内部の電子機器の熱や、進入した水を逃すための孔（弁）等が設けられている場合もある。筐体２の開口部には、鉤型の金具２ｂとの間で、フィルタ３、ＬＣＤ面４及び充填剤５を挟持する設置部２ａが形成されている。
【００１４】
ＬＣＤ面４は、様々な情報を表示する液晶ディスプレイであり、ユーザが筐体２の開口部から視認可能なように筐体２の開口部にＬＣＤ面４と対向して配設されている。ＬＣＤ面４は、液体と固体の中間の性質を持つ液晶物質に電圧をかけることによって、分子の向きを変え、偏光板で光の透過、非透過と明暗を制御して画面を表示することができ、消費電力を少なくし、薄型で設置面積を小さくすることができる。
【００１５】
フィルタ３は、ＬＣＤ面４を保護する透明な薄板であり、ＬＣＤ面４と隙間を隔てて対向するように筐体２の開口部に設けられている。フィルタ３は、ポリカーボネートやアクリル、またはガラスを素材とし、雨、埃などの外的環境からＬＣＤ面４を保護している。また、フィルタ３の外側の表面には、ＡＲ（Anti-Reflection）処理が施されている。ＡＲ処理とは、光の波特性を利用して位相を１／２波長ずらすことにより、反射光の波の山部と谷部とを干渉させて反射を防止する処理を言う。ＡＲ処理を施すことにより、ＬＣＤ面４の視認性が向上するようになっている。
【００１６】
充填剤５は、透明樹脂膜であり、フィルタ３とＬＣＤ面４との隙間に設けられている。充填剤５が隙間に設けられることにより、フィルタ３とＬＣＤ面４との間に空気層が存在しなくなるため、フィルタ内面に結露が発生しなくなる。また、充填剤５を隙間無く充填することで、ＬＣＤ面４には全面に均一な圧力がかかるため、部分的な圧力がかかることで生じる干渉稿をおさえることができ、ＬＣＤ面４の視認性が向上するようになっている。
【００１７】
上述したように、フィルタ３と、ＬＣＤ面４と、充填剤５とは、設置部２ａと金具２ｂとにより挟持されている。そして、各楔着部分は、パッキン等により防水構造となり、内部に水が進入することを防ぎ、ＬＣＤ面４や筐体２内部の電子機器が故障しないようになっている。また、金具２ｂを設置部２ａ側に押さえつけることで、各接着部分が完全に密着した状態とすることができるようになっている。また、これにより、上述したような干渉稿をおさえることができる。
【００１８】
また、フィルタ３とＬＣＤ面４との隙間に空気層が存在しないため、表示装置１が直射日光下に放置された場合等に、隙間部分における過剰な温度上昇がなくなり、また、隙間部分に空気層が存在する場合と異なり、ＬＣＤ面４の熱が充填剤５及びフィルタ３を伝わり、外部に逃げていくため、ＬＣＤ面４のブラックアウト（画面が黒くなる状態）を抑えることができる。
【００１９】
また、充填剤５は透明であるため、透明なフィルタ３の屈折率に近くなるため、フィルタ３と充填剤５との境界面において、光の反射を低減することができる。また、反射率が低くなるに伴い、透過率が高くなる。従って、視認性を向上させることができるようになっている。また、フィルタ３と充填剤５との境界面において反射を防ぐことにより、境界面にＡＲ処理を施す必要が無くなるため、コストダウンを実現することができるようになっている。
【００２０】
尚、充填剤５の素材を変えることにより、充填剤５の屈折率を変えることができる。この場合、充填剤５の屈折率をフィルタ３の屈折率と略等しくすることが好ましい。充填剤５の屈折率を、フィルタ３の屈折率と略等しくすることで、低反射を実現できる。
【００２１】
また、充填剤５は、弾性を有していることが好ましい。充填剤５が弾性を有することで、フィルタ３からの振動がＬＣＤ面４に伝わることを防ぐことができ、ＬＣＤ面４を保護することができる。また、充填剤５は、粘着性を有していても良い。例えば、充填剤５を接着剤のような部材としてもよく、この場合、フィルタ３が破損した際に、フィルタ３の破片が飛散する危険性を防ぐことができる。
【００２２】
以上、説明したように、本発明は、開口部を有する筐体２と、開口部に設けられ、開口部を介して目視可能に配置されたＬＣＤ面４（表示器）と、開口部に設けられた透明のフィルタ３（保護板）と、フィルタ３とＬＣＤ面４との隙間を埋めるように設けられた透明の充填剤５（充填部材）とを備えている。この構成によると、ＬＣＤ面４とフィルタ３との間に充填剤５を設けることで、隙間部分に空間（空気層）が存在しなくなるため、結露が発生しなくなる。また、隙間部分に空気層が存在する場合、表示装置１を直射日光下に放置した場合に、空気層の温室効果によりＬＣＤ面４がブラックアウト（表示画面が黒くなる状態）するおそれがあるが、隙間部分に充填剤５を設けることで、これを低減することができる。
【００２３】
また、隙間部分に設けた充填剤５が透明であるため、充填剤５の屈折率と、透明なフィルタ３の屈折率とが近接するため、充填剤５とフィルタ３との境界面において、光の反射を低減することができ、ＬＣＤ面４の視認性を向上することができる。また、反射を防止できることにより、反射防止処理を施す個所が少なくなるため、手間を省くことができ、かつ、コストダウンを実現することができる。
【００２４】
また、本発明において、充填剤５の屈折率が、フィルタ３の屈折率と略同じであることが好ましい。これによると、広角度で表示器を視認することができる。光が屈折率の高い材質から低い材質へ伝播する時、入射角によって透過する場合と全反射する場合があるが、充填剤５の屈折率をフィルタ３の屈折率と略同じとすることで、この境の角度（臨界角）を越えても、全反射することがなく、視認可能角度を広範囲にすることができる。
【００２５】
さらに、本発明において、充填剤５が、弾性を有していてもよい。これによると、フィルタ３の振動をＬＣＤ面４に伝わらないようすることができ、ＬＣＤ面４を保護することができる。また、本発明において、充填剤５が、粘着性を有していてもよい。これによると、フィルタ３が破損した場合であってもフィルタ３の破片などが飛散せず、安全性を向上させることができる。
【００２６】
尚、本発明を好適な実施の形態に基づいて説明したが、本発明はその趣旨を超えない範囲において変更が可能である。上述の実施の形態では、表示装置１のディスプレイはＬＣＤ面としているが、ＬＣＤに限定されることはなく、例えば、プラズマディスプレイであっても良いし、それ以外のディスプレイであっても良い。また、充填剤５は、透明樹脂膜としているが、これ以外でもよく、フィルタ３とＬＣＤ面４との間に隙間なく充填でき、ＬＣＤ面４の視認性を損なわないものであれ、シート状のものであっても、ジェル状のものであっても良い。
【００２７】
また、上述の実施の形態では、筐体２は、船舶の操舵室に配置するために、防水加工等を施したものとして説明しているが、これに限定されず、表示装置１の使用環境等によって適宜変更することができる。
【００２８】
また、本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００２９】
【図１】本発明の表示装置の側面断面図。
【図２】図１に描かれている表示装置の部分拡大図。
【符号の説明】
【００３０】
１    表示装置
２    筐体
２ａ  嵌合部
３    フィルタ
４    ＬＣＤ面
５    充填剤５
【図１】
2005316042.tif 000003
【図２】
2005316042.tif 000004